(57)【特許請求の範囲】
【請求項１】
少なくとも１つのチャンネルを備え、該チャンネル毎に放送番組を有するとともに、前記放送番組に関する番組関連情報を有する選局放送信号から目的とするチャンネルを選局チャンネルとして選局するチャンネル選局ステップと、
前記選局放送信号から前記番組関連情報を抽出する抽出ステップと、
前記抽出ステップにて抽出した番組関連情報に基づいて、前記選局チャンネルにおける前記放送番組の切り換わりを監視して切り換わり回数を得る監視ステップと、
前記切り換わり回数が予め定められた切り換わり回数となると受信モードから省電力モードに移行する省電力モード切替ステップと
を備えた受信方法。
【請求項２】
受信モードにおいて選局チャンネルが決定されると、省電力モード切替ステップを実行することを特徴とする請求項１記載の受信方法。
【請求項３】
監視ステップは、受信モード中において所定の入力操作があったか否かを判定する入力操作判定ステップと、前記入力操作がないと判定されると選択チャンネルで予め規定されたイベントが発生したか否かを判定するイベント発生判定ステップと、前記イベントが発生したと判定されると該イベントが前記選択チャンネルにおける前記放送番組の切り換わりであるとカウントアップして切り換わり回数とするカウントアップステップとを備えたことを特徴とする請求項１記載の受信方法。
【請求項４】
少なくとも１つのチャンネルを備え、該チャンネル毎に放送番組を有するとともに、前記放送番組に関する番組関連情報を有する放送信号を複数受けて該複数の放送信号のうち１つを選局放送信号として選局する放送信号選局手段と、
該選局放送信号から目的とするチャンネルを選局チャンネルとして選局するとともに、前記選局放送信号から前記番組関連情報を抽出するチャンネル選局手段と、
前記チャンネル選局手段によって抽出された番組関連情報に基づいて、前記選局チャンネルにおける前記放送番組の切り換わりを監視して切り換わり回数を得る監視手段と、
前記切り換わり回数が予め定められた切り換わり回数となると受信モードから省電力モードに移行制御する制御手段と
を備えた受信機。
【請求項５】
制御手段は、予め定められた切り換わり回数を変更する切り換わり回数変更コマンドに応じて前記切り換わり回数を変更することを特徴とする請求項４記載の受信機。
【請求項６】
放送信号は、デジタル放送信号であり、番組関連情報は、前記デジタル放送信号に多重化された電子番組ガイド情報であることを特徴とする請求項４記載の受信機。
【請求項７】
選局チャンネルで提供される放送番組を出力する出力手段を備え、
制御手段は、省電力モードの際、前記出力手段に対する電力供給を停止することを特徴とする請求項４記載の受信機。
【請求項８】
少なくとも１つのチャンネルを備え、該チャンネル毎に放送番組を有するとともに、前記放送番組に関する番組関連情報を有する放送信号を複数受けて、該複数の放送信号のうち１つを選局放送信号として選局する放送信号選局手段と、
該選局放送信号から目的とするチャンネルを選局チャンネルとして選局するとともに前記選局放送信号から前記番組関連情報を抽出するチャンネル選局手段と、
前記チャンネル選局手段によって抽出された番組関連情報に基づいて、前記選局チャンネルにおける前記放送番組の切り換わりを監視して切り換わり回数を得る監視手段と、
前記選局チャンネルで提供される前記放送番組に関する映像を表示する表示手段と、
前記切り換わり回数が予め定められた切り換わり回数となると、前記表示手段に対する電力供給を停止制御する制御手段と
を備えたテレビジョン受像機。
【請求項９】
放送信号は、デジタル放送信号であり、番組関連情報は、デジタル放送信号に多重化された電子番組ガイド情報であることを特徴とする請求項８記載のテレビジョン受像機。
【発明の詳細な説明】
【０００１】
【発明の属する技術分野】
この発明は省電力化を効果的に実行する受信方法、受信機及びテレビジョン受像機に関するものである。
【０００２】
【従来の技術】
一般に、深夜にテレビジョン放送番組を視聴しつつ、テレビジョン受像機に電源が投入されたまま眠ってしまうということがある。このような場合には、テレビジョン放送が終了しているにもかかわらず、視聴者（ユーザ）がテレビジョン放送の終了に気付くまで、テレビジョン受像機は電源が投入されたままの状態となっている。その結果、無駄に電力が消費されてしまうことになる。
【０００３】
ところで、地上波のアナログテレビジョン放送信号を受信するテレビジョン受像機では、テレビジョン放送信号の有無を検出すれば、放送していないチャンネル（放送終了チャンネル）を選局しているか否かを検出することができる。例えば、テレビジョン受像機のチューナ部から出力される映像信号の同期信号について、その有無を監視すれば、放送していないチャンネルを選局している状態にあるか否かを容易に検出することができる。
【０００４】
そこで、放送していないチャンネルを所定の時間選局したままの状態になっていることが検出されると、テレビジョン受像機中の最低限動作させておかなければならない部分（機能）にのみ電源を供給するようにして、その他の部分への電源の供給を停止して、無駄な電力消費を防止することが行われている。
【０００５】
ところが、デジタル衛星放送又はアナログ衛星放送の場合には、テレビジョン番組の放送が終了しても、衛星からの電波がとぎれることがなく、例えばテスト信号等が送出されていることが多い。このため、前述した地上波のアナログテレビジョン放送の場合と同様の手法によっては、テレビジョン番組の放送が行われているチャンネルと、テレビジョン番組の放送が行われていないチャンネルとを区別することができない。
【０００６】
このような不具合を解決するため、例えば特開２００２−１６８５４公報に記載された手法が知られている（以下、従来例と呼ぶ）。従来例では、チューナによって選局したデジタル衛星放送信号からデマルチプレクサを用いて番組関連情報であるＥＩＴ（Ｅｖｅｎｔ  Ｉｎｆｏｒｍａｔｉｏｎ  Ｔａｂｌｅ）を抽出して、この番組関連情報を制御部に供給する。そして、制御部では番組関連情報を監視して、選局したチャンネルにおいて予め定められた時間以上放送番組を放送されていない状態が継続していると、アナログブロック制御部によって電源供給回路を制御して、アナログブロックへの電源供給を停止している（つまり、省電力モードに遷移する）。
【０００７】
このようにして、従来例では、デジタル衛星放送等において、番組関連情報を監視して選局チャンネルにおいて、放送番組の放送が予め定められた時間以上行われていないと、自動的に省電力モードに遷移させるようにしている。従って、放送番組を放送していないチャンネルを選局して、電源が投入された状態であっても、自動的に省電力モードに遷移されるから、無駄に電力を消費してしまうことを防止することができることになる。そして、このような受信方法はテレビジョン受像機に限らず、他の受信機においても採用することができる。
【０００８】
【発明が解決しようとする課題】
従来のテレビジョン受像機は以上のように構成されているので、例えばテレビジョン受像機の電源を投入したまま、ユーザが眠ってしまっても、放送番組が終了しない限りは、電源が切れることがない。つまり、放送番組が途切れることなく（終了することなく）、２４時間放送を行っているチャンネルを選局してしまうと、ユーザが眠ってしまう等放送番組を視聴していない状態が継続しても、放送番組を受信している限りは、電源が自動的に切られることがなく、結果的に電力を無駄に消費するという課題があった。
【０００９】
この発明は上記のような課題を解決するためになされたもので、視聴者（ユーザ）が放送番組を視聴していない状態が継続すると、放送番組の有無にかかわらず、省電力モードに移行して省電力を確実に行うことのできる受信方法、受信機及びテレビジョン受像機を得ることを目的とする。
【００１０】
【課題を解決するための手段】
この発明に係る受信方法は、少なくとも１つのチャンネルを備え、該チャンネル毎に放送番組を有するとともに、前記放送番組に関する番組関連情報を有する選局放送信号から目的とするチャンネルを選局チャンネルとして選局するチャンネル選局ステップと、前記選局放送信号から前記番組関連情報を抽出する抽出ステップと、前記抽出ステップにて抽出した番組関連情報に基づいて、前記選局チャンネルにおける前記放送番組の切り換わりを監視して切り換わり回数を得る監視ステップと、前記切り換わり回数が予め定められた切り換わり回数となると受信モードから省電力モードに移行する省電力モード切替ステップとを備えるものである。
【００１１】
この発明に係る受信方法は、受信モードにおいて選局チャンネルが決定されると、省電力モード切替ステップを実行するものである。
【００１２】
この発明に係る受信方法は、監視ステップが、受信モード中において所定の入力操作があったか否かを判定する入力操作判定ステップと、前記入力操作がないと判定されると選択チャンネルで予め規定されたイベントが発生したか否かを判定するイベント発生判定ステップと、前記イベントが発生したと判定されると該イベントが前記選択チャンネルにおける前記放送番組の切り換わりであるとカウントアップして切り換わり回数とするカウントアップステップとを備えるものである。
【００１３】
この発明に係る受信機は、少なくとも１つのチャンネルを備え、該チャンネル毎に放送番組を有するとともに、前記放送番組に関する番組関連情報を有する放送信号を複数受けて該複数の放送信号のうち１つを選局放送信号として選局する放送信号選局手段と、該選局放送信号から目的とするチャンネルを選局チャンネルとして選局するとともに、前記選局放送信号から前記番組関連情報を抽出するチャンネル選局手段と、前記チャンネル選局手段によって抽出された番組関連情報に基づいて、前記選局チャンネルにおける前記放送番組の切り換わりを監視して切り換わり回数を得る監視手段と、前記切り換わり回数が予め定められた切り換わり回数となると受信モードから省電力モードに移行制御する制御手段とを備えるものである。
【００１４】
この発明に係る受信機は、制御手段が予め定められた切り換わり回数を変更する切り換わり回数変更コマンドに応じて前記切り換わり回数を変更するものである。
【００１５】
この発明に係る受信機は、放送信号がデジタル放送信号であり、番組関連情報が前記デジタル放送信号に多重化された電子番組ガイド情報であることを特徴とするものである。
【００１６】
この発明に係る受信機は、選局チャンネルで提供される放送番組を出力する出力手段を備え、制御手段が、省電力モードの際、前記出力手段に対する電力供給を停止するものである。
【００１７】
この発明に係るテレビジョン受像機は、少なくとも１つのチャンネルを備え、該チャンネル毎に放送番組を有するとともに、前記放送番組に関する番組関連情報を有する放送信号を複数受けて、該複数の放送信号のうち１つを選局放送信号として選局する放送信号選局手段と、該選局放送信号から目的とするチャンネルを選局チャンネルとして選局するとともに前記選局放送信号から前記番組関連情報を抽出するチャンネル選局手段と、前記チャンネル選局手段によって抽出された番組関連情報に基づいて、前記選局チャンネルにおける前記放送番組の切り換わりを監視して切り換わり回数を得る監視手段と、前記選局チャンネルで提供される前記放送番組に関する映像を表示する表示手段と、前記切り換わり回数が予め定められた切り換わり回数となると、前記表示手段に対する電力供給を停止制御する制御手段とを備えるものである。
【００１８】
この発明に係るテレビジョン受像機は、放送信号がデジタル放送信号であり、番組関連情報がデジタル放送信号に多重化された電子番組ガイド情報であることを特徴とするものである。
【００１９】
【発明の実施の形態】
以下、この発明の実施の一形態を説明する。
実施の形態１．
ここでは、受信機として、ＴＳ形式と呼ばれるＭＰＥＧシステムにおける伝送フレーム形式を採用してデジタル衛星放送を受信するテレビジョン受像機（以下、デジタルテレビジョン受像機と呼ぶ）を例にあげて説明する。なお、ＴＳ形式のデジタル放送信号は、１つの放送信号に複数の放送番組の映像データ及び音声データ、そして、放送に関する種々のデジタルデータがパケット化されて、所謂時分割多重化されている。このため、デジタルテレビジョン放送の場合には、目的とするテレビジョン放送番組を放送するチャンネルを含むデジタル放送信号（ＲＦチャンネル）を選局するとともに、目的とする放送番組を放送するチャンネルを選択して、デジタル放送信号から目的とする放送番組に関するデータを抽出する。これによって、ユーザは目的とする放送番組が視聴可能となる。従って、以下の説明において、単にチャンネルというときには、放送番組を選局する際の単位を意味し、チャンネルの選局というときには、デジタル放送信号の選局だけでなく、デジタル放送信号の選局と目的とする放送番組の選局（選択）とを含む。
【００２０】
図１はこの発明の実施の形態１によるデジタルテレビジョン受像機（以下、単にテレビジョン受像機という）の構成を示すブロック図である。図において、１は受信アンテナ、２はデジタルチューナ（以下、単にチューナという）、３はデ・スクランブル部、４はデ・マルチプレクサ、５は映像信号デコーダ５ａ及び音声信号デコーダ５ｂを備えるデコード部、６はＯＳＤ（Ｏｎ  Ｓｃｒｅｅｎ  Ｄｉｓｐｌａｙ）処理部、７は映像信号処理部、８はＤＥＦ（Ｄｅｆｌｅｃｔｉｏｎ：偏向）処理部、９はディスプレイ、１０は音声信号処理部、１１はスピーカである。そして、チューナ２は衛星放送用受信アンテナ１に接続されており、ＯＳＤ処理部６、映像信号処理部７、ＤＥＦ処理部８、ディスプレイ９、音声信号処理部１０、スピーカ１１がアナログブロック（出力手段）６ａとなる。
【００２１】
さらに、図示のテレビジョン受像機は、制御部（デジタル制御部）１００、時計回路（図示せず）、リモコンインタフェース部（以下リモコンＩ／Ｆ部と略称する）２２、リモコン信号受光部（受光部）２３、アナログブロック制御部２５、及び電源供給回路２６とを備えており、電源供給回路２６からアナログブロック６ａに電源が供給される。なお、アナログブロック制御部２５は、インタフェース（以下Ｉ／Ｆと略称する）２４を介して制御部１００に接続され、後述するようにして、制御部１００によってアナログブロック制御部２５は制御される。
【００２２】
制御部（制御手段及び監視手段）１００は、ＣＰＵ１０１、ＲＯＭ１０２、ＲＡＭ１０３、及びＥＥＰＲＯＭ（Ｅｌｅｃｔｒｉｃａｌｌｙ  ＥｒａｓａｂｌｅＰｒｏｇｒａｍｍａｂｌｅ  ＲＯＭ）１０４を備えており、これらＣＰＵ１０１、ＲＯＭ１０２、ＲＡＭ１０３、及びＥＥＰＲＯＭ１０４がＣＰＵバス１０５を介して接続されている（つまり、制御部１００はマイクロコンピュータである）。そして、制御部１００によってテレビジョン受像機自体が制御されることになる。
【００２３】
ＲＯＭ１０２には、テレビジョン受像機において実行される処理プログラム及び必要なデータ等が記録されており、ＲＡＭ１０３は、実行された処理の途中結果等を一時記憶する等主に作業領域として用いられる。さらに、ＲＡＭ１０３は、後述するように、省電力モードへの切り換え処理（省電力モード切り換え処理）において、現在視聴中のチャンネルに関する番組の切り換わり回数を格納する領域としても用いられる。ＥＥＰＲＯＭ１０４は、ユーザによって設定された各種のパラメータ情報などを記憶するメモリであり、テレビジョン受像機の電源が切られても、記憶したパラメータ情報等が消滅することがない所謂不揮発性のメモリである。
【００２４】
加えて、リモートコマンダ（以下、リモコンと略称する）３０は、テレビジョン受像機用の遠隔制御装置であり、ユーザの入力操作に応じて赤外線リモコン信号を送出する。リモコン３０には、電源のオン・オフキー、選局のためのチャンネルキー、チャンネルのアップ／ダウンキー、音量のアップ／ダウンキー、及びその他各種のファンクションキー等が設けられている。そして、ユーザによるキー操作（入力操作）に応じて、リモコン３０から送出される赤外線リモコン信号は、リモコン信号受光部２３によって受光され、電気信号に変換された後、リモコンＩ／Ｆ部２２を介して制御部１００に与えられる。これによって、制御部１００は、リモコン信号に応じてテレビジョン受像機の各部（各機能）を制御することになる。例えば、ユーザのキー操作に応じて、制御部１００は電源のオン／オフ、選局、又は音量調節等種々の制御を行う。
【００２５】
なお、図示しないが、テレビジョン受像機本体には主電源オン／オフボタンスイッチが設けられており、主電源オン／オフボタンスイッチをオンにして主電源を投入しておけば、制御部１００等の必要最小限の部分（機能）に電源が供給され、テレビジョン受像機は、受信待ち状態である所謂スタンバイモード（スタンバイ状態）となる。スタンバイモードにおいては、リモコン３０を用いて、テレビジョン受像機から離れた位置で電源（駆動電源）のオン／オフ操作を行うことができる。これによって、スタンバイ状態においてリモコン３０から電源投入を要求するリモコン信号をテレビ受像機が受けると、アナログブロック６ａ等に駆動電源が供給されることになる。駆動電源投入後においては、リモコン３０によってチャンネルの切り換え・音量調整等の各種の操作を行うことができる。
【００２６】
このように、主電源の投入によって制御部１００等の必要最小限の部分に対して電源が供給されてスタンバイモードとなり、駆動電源が投入されると、アナログブロック６ａを含めて全ての部分が機能して、テレビジョン受像機がデジタル放送信号を受信選局して目的とする放送番組を視聴することができる（受信モード）。つまり、主電源が投入された後、リモコン３０によって駆動電源が投入されると、テレビジョン受像機は、後述するようにして、デジタル衛星放送信号の受信及び選局処理等を行って放送番組の視聴を可能とする。即ち、衛星放送用受信アンテナ１によって受信されたＴＳ形式のデジタル衛星放送信号（以下、単に衛星放送信号という）がチューナ２に与えられることになる。
【００２７】
次に動作について説明する。
チューナ２（放送信号選局手段）は、制御部１００から与えられる選局制御信号に基づいて複数の衛星放送信号のうちの１つを選局して復調して復調衛星放送信号としてデ・スクランブル部３に与える。なお、上述の選局制御信号は、ユーザのキー操作、つまり、チャンネル選局入力操作等に応じて制御部１００において生成される。
【００２８】
デ・スクランブル部３では、例えば、制御部１００から暗号解読のためのキー情報が提供されて、受信選局した衛星放送信号に施されているスクランブル処理（暗号化処理）を解読（解除）して、スクランブル解読後の復調衛星放送信号（以下解読衛星放送信号と呼ぶ）をデ・マルチプレクサ４に与える。
【００２９】
前述したように、衛星放送信号は、ＴＳ形式の信号であり、複数の放送番組の映像データ及び音声データ、放送に関する種々のデジタルデータ、そして、ＥＰＧと呼ばれる電子番組ガイドを形成するためのデジタルデータ等がパケット化されて所謂時分割多重化されており、１つの衛星放送信号によって複数の放送番組及び各種情報を提供することができる。そして、各パケットには、ＰＩＤ（パケットＩＤ：パケット識別子）が付加され、これによって、テレビジョン受像機では衛星放送信号から目的とするパケットを分離抽出する。
【００３０】
デ・マルチプレクサ４（チャンネル選択手段）では、制御部１００から与えられるチャンネル選局制御信号に基づいて、つまり、ユーザによって選局されたチャンネルによって放送される放送番組の映像データ及び音声データを解読衛星放送信号から抽出して、これら映像データ及び音声データとをデコード部５に与える。
【００３１】
この際、デ・マルチプレクサ４では、解読衛星放送信号から放送に関する種々のデータ及びＥＰＧを形成するためのデータを抽出して、これらデータを制御部１００に与える。図示の例では、デ・マルチプレクサ４から制御部１００に与えられる情報（データ）としては、ＮＩＴ（Ｎｅｔｗｏｒｋ  Ｉｎｆｏｒｍａｔｉｏｎ  Ｔａｂｌｅ）、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、及びＥＩＴ（Ｅｖｅｎｔ  Ｉｎｆｏｒｍａｔｉｏｎ  Ｔａｂｌｅ）等がある。
【００３２】
ＮＩＴは、伝送路に関する物理的な情報を示すものであり、衛星の軌道に関する情報、偏波に関する情報、トランスポンダ（衛星中継器）毎の周波数に関する情報、及び各伝送路によって伝送される放送番組（プログラム）番号を示す情報を含んでいる。ＮＩＴ自体のＰＩＤ（パケットＩＤ：パケット識別子）は、ＰＡＴによって指定され、放送番組番号は、ユーザが選局するチャンネルに対応している。
【００３３】
ＰＡＴは、各放送番組番号毎に、その放送番組を構成するパケットの情報を伝送するＰＭＴのＰＩＤを示すものである。ＰＡＴ自体のＰＩＤとしては、例えば、固定的にＰＩＤ＝“０”が割り当てられる。ＰＭＴは、各放送番組番号毎に、その放送番組を構成する映像、音声、及び付加データ等のストリームが伝送されるパケットのＰＩＤを示すものである。ＰＭＴ自体のＰＩＤは、ＰＡＴで指定される。
【００３４】
そして、ユーザが、目的とする放送番組を放送しているチャンネルを選局すると、ＮＩＴの情報によって、選局されたチャンネルを含む衛星放送信号を放送しているトランスポンダが特定される。これによって、前述したように、特定されたトランスポンダからの衛星放送信号を選局するように制御部１００が選局制御信号を生成して、この選局制御信号をチューナ２に与え、目的とするチャンネルを含む衛星放送信号を選局することになる。
【００３５】
一方、ＰＡＴの情報によって、ユーザによって選局されたチャンネルにより提供される放送番組を構成する映像データ及び音声データのパケットＰＩＤを示すＰＭＴが特定される。そして、特定されたＰＭＴに基づいて、制御部１００はチャンネル選局制御信号を生成して、このチャンネル選局制御信号をデ・マルチプレクサ４に与え、前述のように、デ・マルチプレクサ４において目的とする放送番組の映像データ及び音声データを解読衛星放送信号から分離抽出する。
【００３６】
また、ＥＩＴは、チャンネル番号、チャンネル名、番組の開始時刻、及び番組の終了時刻等のＥＰＧを生成するための情報を示すものである。このＥＩＴによって、時間軸とチャンネル軸とを有するＥＰＧを生成して、ＥＰＧを参照してユーザが目的とする放送番組を放送しているチャンネルを迅速に検索して選局を行うことができる。
【００３７】
さらに、ＥＩＴに基づいて、後述するように、選局したチャンネルにおいて、放送番組が放送されているか否かを確実に検出することができる。つまり、テレビジョン受像機においては、ＥＩＴが番組関連情報として用いられることになる。
【００３８】
そして、このテレビジョン受像機においては、デ・マルチプレクサ４で分離抽出されて出力される放送番組のＥＳ（Ｅｌｅｍｅｎｔａｒｙ  Ｓｔｒｅａｍ）、つまり、目的とする放送番組の映像データ及び音声データは、ＭＰＥＧ方式の符号化方法によりデータ圧縮されたものである。
【００３９】
そこで、デコード部５においては、映像データ及び音声データを伸長処理（圧縮解凍処理）して処理可能な形態とする。つまり、デコード部５は、図１に示すように、映像信号デコーダ５ａ及び音声信号デコーダ５ｂを備えており、デコード部５は、映像データ及び音声データを所定の符号化方式に応じて伸長処理して、データ圧縮前の元のデジタル映像データ及びデータ圧縮前の元のデジタル音声データを復元することになる。
【００４０】
デコード部５は、復元したデジタル映像データをＤ／Ａ変換（デジタル／アナログ変換）して、アナログ映像信号を生成し、このアナログ映像信号をＯＳＤ処理部６に与える。さらに、デコード部５は、復元したデジタル音声データをＤ／Ａ変換して、アナログ音声信号を生成して、このアナログ音声信号を音声信号処理部１０に与える。
【００４１】
ＯＳＤ処理部６では、制御部１００から与えられるデータに応じて、映像信号処理を行ってＥＰＧ及び各種のメッセージを表示する。ＯＳＤ処理部６は、例えば、放送番組の映像以外の文字等の情報を表示するようにするための所謂テキスト／グラフィック処理回路である。例えば、ユーザからの指示に応じて選局されたチャンネルを示す文字（チャンネル表示）及び音量レベルを示す音量バー等を表示する際には、この文字及び音量バーを表示するためのデータ（情報）が、制御部１００からＯＳＤ処理部６に与えられることになる。そして、ＯＳＤ処理部６では、アナログ映像信号にチャンネル表示及び音量バー表示が重畳されて、重畳アナログ映像信号として映像信号処理部７に与えられる。
【００４２】
また、ユーザからの指示（入力操作）に応じて、ＥＰＧを表示する際には、ＥＰＧを形成する情報が制御部１００からＯＳＤ処理部６に与えられる。そして、ＯＳＤ処理部６では、ＥＰＧを表示するためのＥＰＧ映像信号が生成されて、このＥＰＧ映像信号が映像信号処理部７に与えられることになる。
【００４３】
映像信号処理部７では、アナログル映像信号（重畳アナログ映像信号等を含む）から、ディスプレイ９に供給する形式の信号、例えば、Ｒ（赤）、Ｇ（緑）、Ｂ（青）の３原色信号を形成し、この３原色信号をディスプレイ９に与える。ディスプレイ９は、例えば、ＣＲＴ（Ｃａｔｈｏｄｅ−Ｒａｙ  Ｔｕｂｅ）ディスプレイであり、３原色信号に応じた映像を画面表示する。これによって、ユーザによって選局されたチャンネルで放送されている放送番組に関する映像がディスプレイ９に表示される。なお、ＤＥＦ処理部８では、映像同期信号に基づいて偏向信号を生成して、この偏向信号をディスプレイ９の偏向ヨークに与える。これによって、ディスプレイ９では電子ビームを走査して映像を表示することになる。
【００４４】
一方、音声信号処理部１０では、アナログ音声信号を必要なレベルにまでに増幅して、音声増幅信号としてスピーカ１１に供給する。これによって、ユーザによって選局されたチャンネルで放送されている放送番組の音声がスピーカ１１から出力される。
【００４５】
このようにして、このテレビジョン受像機では、衛星放送信号を受信選局して、その選局した衛星放送信号から目的とする放送番組を分離抽出して再生し、ユーザが目的とする放送番組を視聴することができるようにしている。
【００４６】
そして、このテレビジョン受像機には、制御部１００がデ・マルチプレクサ４により抽出されるＥＩＴの情報を監視して、選局したチャンネルで２つ以上の番組の切り換わりを検出すると、電源供給回路２６によってアナログブロック６ａに対する電源供給を停止させるオートシャットダウン機能が備えられ、電力の無駄な消費を防止している。つまり、このテレビジョン受像機では、前述したように、選局したチャンネルにおける番組の切り換わり回数を記憶するＲＡＭ１０３を備えて、この番組の切り換わり回数が予め定められた切り換わり回数以上となると、制御部１００がＩ／Ｆ２４を介してアナログブロック制御部２５を制御する。そして、アナログブロック制御部２５によって電源供給回路２６が制御されて、アナログブロック６ａに対する電源の供給を制御（停止）している。
【００４７】
なお、上述の例では、アナログブロック６ａは、アナログ映像信号及びアナログ音声信号を信号処理する部分であり、図１において点線で囲まれた、ＯＳＤ処理部６、映像信号処理部７、ＤＥＦ処理部８、ディスプレイ９、音声信号処理部１０、及びスピーカ１１からなる部分である。
【００４８】
次に図１に示すテレビジョン受像機における省電力モードについて説明する。
【００４９】
図１及び図２を参照して、いま、主電源が投入されると、制御部１００は、リモコン３０から駆動電源の投入を指示するリモコン信号が与えられるまで待ち状態となる（ステップＳＴ１０１）。そして、ステップＳＴ１０１において、リモコン３０から駆動電源の投入を指示するリモコン信号を受信したと判断すると、制御部１００は、アナログブロック６ａを含むすべての回路部分に電源を供給することになる。そして、制御部１００では、所謂ラストチャンネルメモリ機能によって、前回電源が落とされる直前まで選局していたチャンネルを選局する（ステップＳＴ１０２）。
【００５０】
次に、制御部１００では、リモコン３０から入力操作（キー操作）があるか否かを判断して（ステップＳＴ１０３）、リモコン３０から選局入力操作がないと判断すると、後述する図２に示すステップＳＴ１１０の処理に進み、省電力モード切替ルーチンを実行する。
【００５１】
一方、ステップＳＴ１０３において、リモコン３０から入力操作があると判断すると、制御部１００は、この入力操作が選局を指示するものか否か、つまり、入力操作がチャンネルの変更を指示するものであるか否かを判断する（ステップＳＴ１０４）。ステップＳＴ１０４において、入力操作が選局を指示するものではないと判断すると、制御部１００は入力操作がテレビジョン受像機の駆動電源をオフにすることを指示するものであるか否かを判断する（ステップＳＴ１０５）。
【００５２】
ステップＳＴ１０５において、入力操作が駆動電源をオフにすることを指示するものであると判断すると、制御部１００は、アナログブロック６ａ等に対する電源供給を停止する等の終了処理を行い（ステップＳＴ１０６）、スタンバイモードとなる。その後に、制御部１００では、ステップＳＴ１０１からの処理を繰り返すことになる。
【００５３】
一方、ステップＳＴ１０５において、入力操作入力が駆動電源をオフにすることを指示するものではないと判断すると、制御部１００は、その入力操作に応じた処理、例えば、音量及び／又は画質の調整、チャンネル表示等の処理を行って（他の処理：ステップＳＴ１０７）、後述する図２に示すステップＳＴ１１３の処理に進み、省電力モード切替ルーチンを実行することになる。
【００５４】
ステップＳＴ１０４において、入力操作が選局を指示するものであると判断すると、制御部１００は、まず、受信選局している衛星放送信号から分離抽出したＮＩＴに基づいて、選局するチャンネルを含む衛星放送信号を送出するトランスポンダを検索する（ステップＳＴ１０８）。そして、制御部１００は、ステップＳＴ１０８で検索した検索結果に基づいて、目的とするトランスポンダを選局するようにチューナ部２を制御する。そして、制御部１００は当該トランスポンダから受信した衛星放送信号からデ・マルチプレクサ４において分離抽出されるＰＡＴを検索し（ステップＳＴ１０９）、そのＰＡＴ内のＰＩＤに基づいて、目的とするチャンネルに関するＰＭＴを分離抽出する（ステップＳＴ１１０）。
【００５５】
制御部１００は、抽出したＰＭＴの情報に基づいてデ・マルチプレクサ４を制御する。デ・マルチプレクサ４は目的とするチャンネルのＥＳ（Ｅｌｅｍｅｎｔａｒｙ  Ｓｔｒｅａｍ）、つまり、そのチャンネルにより提供される放送番組の映像データ及び音声データとを抽出し、抽出されたＥＳは、前述したように、デコーダ部５において、伸長処理及びＤ／Ａ変換されて、アナログ映像信号についてはＯＳＤ処理部６及び映像信号処理部７を介してディスプレイ９に与えられ、アナログ音声信号については音声信号処理部１０を介してスピーカ１１に与えられる。これによって、選局されたチャンネルによって放送されている放送番組が視聴できることになる（ステップＳＴ１１１）。
【００５６】
次に、制御部１００は、デ・マルチプレクサ４を制御して、デ・マルチプレクサ４によって選局しているトランスポンダからＥＩＴを分離抽出する（ステップＳＴ１１２）、そして、後述する省電力モード切替ルーチンを実行する（ステップＳＴ１１３）。この後、制御部１００は省電力モードとなったか否かを判断して（ステップＳＴ１１４）、省電力モードとなった際には、図２に示すステップＳＴ１０１からの処理を繰り返す。また、ステップＳＴ１１４において、制御部１００は省電力モードになっていないと判断すると、図２に示すステップＳＴ１０３からの処理を繰り返す。
【００５７】
図２で説明したように、図１に示すテレビジョン受像機では、主電源が投入されてスタンバイモードとなった後、リモコン３０による指示に応じて駆動電源が投入されると、衛星放送信号の選局及び目的とする放送番組を放送しているチャンネルの選局を行い、テレビジョン受像機の駆動電源が落とされるまでは、必ず省電力モード切替ルーチンが実行されることになる。
【００５８】
この省電力モード切替ルーチンは、以下に説明するように、選局したチャンネルで予め定められた回数以上の番組の切り換わりが検出されると、アナログブロック６ａに対する電源供給を停止して、省電力モードに遷移し、無駄な電力消費を防止するようにする。
【００５９】
図３は、図２に示すメインルーチンにおけるステップＳＴ１１３で実行される省電力モード切替ルーチンを説明するためのフローチャートである。図３を参照して、省電力モード切替ルーチンにおいては、制御部１００は、まず、現在の番組切り換わり回数を“０”（初期値）として、この初期値を番組切り換わり回数ｎとしてＲＡＭ１０３に保持する（ステップＳＴ２０１）。
【００６０】
次に、制御部１００は、リモコン３０から入力操作があるか否かを判断する（ステップＳＴ２０２）。ステップＳＴ２０２において、入力操作があると判断すると、制御部１００は省電力モード切り換え処理を省略して（行わず）メインルーチンに戻り、図２に示すステップＳＴ１０３からの処理が行われる。
【００６１】
一方、ステップＳＴ２０２において、入力操作がないと判断すると、制御部１００は、デ・マルチプレクサ４で抽出された最新のＥＩＴの情報に基づいて、現在選局しているチャンネルにおいて、現時点でイベント（選局中のチャンネルにおいて、番組の切り換わり、映像表示形式の変更、音声出力形式の変更、及びデータブラウザーの起動指示等）の発生があるか否かを判断する（ステップＳＴ２０３）。
【００６２】
前述したように、ＥＩＴは、チャンネル番号、チャンネル名、番組の開始時刻、番組の終了時刻等のＥＰＧを生成するための情報であり、このＥＩＴを参照することによって、現在選局しているチャンネルにおいて、現時点で選局した放送番組でイベントが発生したか否かを確実に判別することができる。ステップＳＴ２０３において、現在選局しているチャンネルにおいて、現時点で選局されている放送番組でイベントが発生していないと判断すると、図３に示すステップＳＴ２０２から処理を繰り返すことになる。一方、ステップＳＴ２０３において、現在選局しているチャンネルによって、現時点において選局されている放送番組でイベントが発生したと判断すると、制御部１００は、発生したイベントが番組の切り換わりか否かを判断をする（ステップＳＴ２０４）。
【００６３】
ステップＳＴ２０４において、発生イベントが番組の切り換わりではないと判定すると、制御部１００では、映像表示形式の変更，音声出力形式の変更等の他の処理を行った（ステップＳＴ２０５）後に、図３に示すステップＳＴ２０２から処理が繰り返される。
【００６４】
一方、ステップＳＴ２０４において、選局されているチャンネルで放送番組の切り換わりがあったと判断した際には、制御部１００は、ｎ＝ｎ＋１で示される演算を行う（ステップＳＴ２０６）。
【００６５】
次に、制御部１００は整数ｎが、予め定められた回数（切り換え回数）Ｎｏｆｆより、小さい値であるか否かの判断を行う（ステップＳＴ２０７）。ステップＳＴ２０７では、選局されているチャンネルにおける番組の切り換わり回数ｎが予め定められた回数Ｎｏｆｆを超えたか否かを検出する。つまり、予め定められた回数Ｎｏｆｆは、省電力モードへの切り換えを行うか否かを判断するための値であり、例えば、１，２等のように予め定められた任意の数値である。
【００６６】
図４は、予め定められた回数Ｎｏｆｆと番組の切り換わり回数ｎとの関係を説明するための図である。図４に示すように、選局されているチャンネルの番組の切り換わり回数ｎは、番組が切り換わるたびにカウントアップされ、番組の切り換わり回数ｎが予め定められた回数Ｎｏｆｆとなると、図３に示す省電力モードがオンされる（ステップＳＴ２０８）。つまり、選局チャンネルの番組表が図４（ａ）に示すように、番組Ａ１、番組Ａ２、番組Ａ３、…、番組ＡＮｏｆｆ＋２と変化するとすると、図４（ｂ）に示すように、番組Ａ１の時点では、切り換わり回数ｎ＝０である。そして、放送番組が番組Ａ２に切り換わると、“１”カウントアップして、切り換わり回数ｎ＝１となる。さらに、放送番組が番組Ａ３に切り換わると、“１”カウントアップして、切り換わり回数ｎ＝２となる。このようにして、放送番組が切り換わる度に、“１”カウントアップして、例えば、放送番組が番組ＡＮｏｆｆ＋２となると、切り換わり回数ｎ＝Ｎｏｆｆ＋１となる。そして、切り換わり回数ｎ＝Ｎｏｆｆ＋１となった時点で、省電力モードがオンされる（図４（ｃ）参照）。
【００６７】
ステップＳＴ２０８の処理によって、アナログブロック制御部２５は電源供給回路２６を制御して、アナログブロック６ａに対する電源供給を停止する。これによって、省電力モードに移行する。なお、ここで、省電力モードとは、主電源が投入され、リモコン３０から駆動電源の投入を指示するリモコン信号を受信待ちしている状態であり、前述したスタンバイモードと同様の状態である。
【００６８】
このため、図示の例では、省電力モードととなった後には、図２に示すメインルーチンのステップＳＴ１０１からの処理を行って、ユーザからの駆動電源の投入を指示する入力操作を待つことになる。
【００６９】
このようにして、図示のテレビジョン受像機では、チューナ２が放送信号選局手段、デ・マルチプレクサ４がチャンネル選局手段、制御部１００が監視手段及び制御手段として機能し、これら手段が協働して選局されたチャンネルにおける番組の切り換わりが予め定められた回数（切り換え回数）となると、アナログブロック６ａに対する電源供給を停止し、無駄な電力消費を確実に防止する。
【００７０】
さらに、図示の例では、省電力モードとする場合には、図１に示すアナログブロック６ａに対する電源供給を停止するようにしたが、このような電源供給停止に限るものではなく、例えば、少なくともディスプレイ９への電源の供給のみを停止するようにしてもよいし、さらには、主電源までを切るようにしてもよい。
【００７１】
また、予め定められた回数（切り換え回数）Ｎｏｆｆは、例えば、製造者側において予め定められてＥＥＰＲＯＭ１０４等に設定する。この予め定められた回数Ｎｏｆｆは、１，２，３等の任意の回数とすることができる。そして、リモコン３０によって予め定められた回数（設定切り換わり回数）Ｎｏｆｆを設定したり、変更したりするようにしてもよい。つまり、リモコン３０から設定切り換わり回数を変更するコマンドを与えると、制御部１００はこのコマンドに応じた切り換わり回数に設定切り換わり回数を変更する。さらに、オートシャットダウン機能を用いるか否かについてもリモコン３０などによってユーザが設定するようにしてもよい。
【００７２】
なお、上述の例では、デジタル衛星放送を受信するテレビジョン受像機について説明したが、例えば、ＳＴＢ（Ｓｅｔ−Ｔｏｐ  Ｂｏｘ）、ＩＲＤ（Ｉｎｔｅｇｒａｔｅｄ  Ｒｅｃｅｉｖｅｒ  Ｄｅｃｏｄｅｒ）等と呼ばれる受信機、放送信号の受信機能を備えたＶＴＲ（ビデオテープレコーダ）、放送信号の受信機能を備えたＤＶＤの記録再生機等受信機能を備えた各種の電子機器についても上述の手法を用いることができる。
【００７３】
さらに、受信機の例として、例えば、図１に示すテレビジョン受像機において少なくともディスプレイ９を備えない受信機（さらにスピーカ１１を備えなくてもよい）を考慮すればよい。そして、受信機の場合にも、省電力モードとする際には、アナログ映像信号及びアナログ音声信号を処理する回路部分、例えば、ＯＳＤ処理部、映像信号処理部、及び音声信号処理部等に対する電源供給を停止するようにすればよい。つまり、省電力モードとする際には、スタンバイモードを管理する制御部等の必要最小限の回路部分にのみ電源を供給し、その他の回路部分には電源を供給しないようにすればよい。また、受信機において行う処理も、図２及び図３を用いて説明した処理と同様の処理を行うようにすればよく、テレビジョン受像機にも、受信機にも上述の受信手法を適用することができる。もちろん、受信機の場合に、省電力モードとする際に、全ての電源供給を停止するようにしてもよい。
【００７４】
以上のように、この実施の形態１によれば、複数の放送信号のうち１つを選局放送信号を選局するとともに、選局放送信号から目的とするチャンネルを選局チャンネルとして選局して、選局放送信号から番組関連情報を抽出番組関連情報として抽出し、抽出番組関連情報に基づいて選局チャネルにおける放送番組の切り換わりを監視して切り換わり回数を得て、切り換わり回数が予め定められた切り換わり回数となると受信モードから省電力モードに移行するようにしたので、視聴者（ユーザ）が選局チャネルにおける放送番組を視聴していない状態が継続しても、放送番組が予め定められた回数切り換わると放送番組の有無にかかわらず、省電力モードとすることができ、確実に消費電力を削減できる。
【００７５】
【発明の効果】
以上のように、この発明によれば、選局放送信号から番組関連情報を抽出番組関連情報として抽出して、抽出番組関連情報に基づいて選局チャネルにおける放送番組の切り換わりを監視して切り換わり回数を得て、切り換わり回数が予め定められた切り換わり回数となると受信モードから省電力モードに移行するので、視聴者（ユーザ）が放送番組を視聴していない状態が継続しても、放送番組の有無にかかわらず省電力化を達成できるという効果がある。
【００７６】
この発明によれば、受信モードにおいて選局チャンネルが決定された後、省電力モードに移行するので、ユーザが目的のチャンネルを決定して所望の放送番組を視聴中に放送番組を視聴していない状態に移行しても、放送番組が切り換わると、自動的に省電力モードに移行するようにして、省電力を達成できるという効果がある。
【００７７】
この発明によれば、省電力モードを実行する際、受信モード中において所定の入力操作があったか否かを判定して、入力操作がないと判定すると選択チャネルで予め規定されたイベントが発生したか否かを判定し、イベントが発生したと判定した際、このイベントが選択チャンネルにおける放送番組の切り換わりであると、カウントアップして切り換わり回数とするので、確実に放送番組の切り換わりを検出できるという効果がある。
【００７８】
この発明によれば、予め定められた切り換わり回数を設定切り換わり回数として設定して、設定切り換わり回数を変更する切り換わり回数変更コマンドに応じて設定切り換わり回数を変更するので、ユーザは必要に応じて設定切り換わり回数を変更できるという効果がある。
【００７９】
この発明によれば、放送信号がデジタル放送信号であり、番組関連情報がデジタル放送信号に多重化された電子番組ガイド情報であるように構成したので、衛星放送においても確実に省電力化を行うことができるという効果がある。
【００８０】
この発明によれば、省電力モードの際、選局チャンネルで提供される放送番組を出力する出力部に対する電力供給を停止するので、効果的に省電力化を行うことができるという効果がある。
【００８１】
この発明によれば、切り換わり回数が予め定められた切り換わり回数となると、放送番組に関する映像を表示する表示部に対する電力供給を停止するので、効果的に省電力化を行うことができるという効果がある。
【図面の簡単な説明】
【図１】  この発明の実施の形態１によるテレビジョン受像機の構成を示すブロック図である。
【図２】  図１に示すテレビジョン受像機で実行されるメインルーチンを説明するためのフローチャートである。
【図３】  図１に示すテレビジョン受像機で実行される省電力モード切替ルーチンを説明するためのフローチャートである。
【図４】  予め定められた切り換わり回数と番組切り換わり回数との関係を説明するための図であり、（ａ）は選択チャンネルの番組表を示す図、（ｂ）は番組切り換わり回数を示す図、（ｃ）は省電力モードのオンオフを示す図である。
【符号の説明】
１  衛星放送用受信アンテナ、２  デジタルチューナ、３  デ・スクランブル部、４  デ・マルチプレクサ、５  デコード部、６  ＯＳＤ処理部、７  映像信号処理部、８  ＤＥＦ処理部、９  ディスプレイ、１０  音声信号処理部、１１スピーカ、２２  リモコンインタフェース部（リモコンＩ／Ｆ部）、２３  リモコン信号受光部（受光部）、２４  インタフェース（Ｉ／Ｆ）、２５  アナログブロック制御部、２６  電源供給回路、１００  制御部、１０１  ＣＰＵ、１０２  ＲＯＭ、１０３  ＲＡＭ、１０４  ＥＥＰＲＯＭ、１０５  バス。
【図１】
0003961328.tif 000002
【図２】
0003961328.tif 000003
【図３】
0003961328.tif 000004
【図４】
0003961328.tif 000005